(57)【特許請求の範囲】
【請求項１】
人の首後部下側と合致するように形成されたカラー部；  該カラー部に連設される左右の吊り部；  該吊り部の遊端部側に取り付けられ，ズボンの正面部分と連結させる為の連結手段；  前記吊り部は内層と外層から成り，外層は内層より幅広で吊り部と一体の飾り下襟のラペルを形成していること；から成るズボン用サスペンダーであって，使用者の首後部下側の周りにカラー部が位置した状態で，左右吊り部のそれぞれの前記連結手段をズボンの正面部分に連結することによりズボンが使用者の身体に支持されて吊り下げられ得るズボン用サスペンダー。
【請求項２】
柔軟素材から構成され，左右のうち一方の吊り部からカラー部を通って他方の吊り部に亘る折り畳み部を含み，該折り畳み部は内層と外層から成り，外層は各吊り部と一体のラペルを形成し，各ラペルは吊り部の長手方向の大部分に亘って内層より幅広であることによって特徴づけられる請求項１のズボン用サスペンダー。
【請求項３】
前記折り畳み部の内層は外層より更に下方に延びて露出し，ズボンに対する前記吊り部の連結手段が内層の端部に設けられていることによって特徴づけられる請求項２のズボン用サスペンダー。
【請求項４】
前記折り畳み部の内層と外層は互いに相違する特質の外向面を有して成ることによって特徴づけられる請求項３のズボン用サスペンダー。
【請求項５】
前記カラー部は，使用者の首の全周をほぼ取り囲むように形成され，更に対向両端同士を留める手段を備えて成ることによって特徴づけられる請求項１のズボン用サスペンダー。
【請求項６】
更に前記カラー部の背部に連設された背後吊り部を含み，該背後吊り部にはズボン後部と連結させる為の連結手段が設けられて成ることによって特徴づけられる請求項５のズボン用サスペンダー。
【請求項７】
前記背後吊り部は，二手に別れた２つの遊端部を有し，各遊端部に連結手段が設けられて成ることによって特徴づけられる請求項６のズボン用サスペンダー。
【請求項８】
前記正面側吊り部と背後側吊り部は，標準的なサスペンダーの吊り部の形態及び外観を有するものであることによって特徴づけられる請求項６のズボン用サスペンダー。
【請求項９】
人の首後部下側と合致するように形成されたカラー部；  該カラー部に連設された左右の吊り部；  該吊り部の遊端部側に設けられ，ズボンの正面部分と連結させる為の連結手段；  左右のうち一方の吊り部からカラー部を通って他方の吊り部に亘る折り畳み部を含む所望長さの柔軟素材；  前記折り畳み部は内層と外層から成ること；  外層は各吊り部と一体の飾り下襟のラペルを形成すること；  各ラペルは吊り部の長手方向の大部分に亘って内層の幅より広い幅を有すること；から成るズボン用サスペンダーであって，使用者の首後部下側の周りにカラー部が位置した状態で，左右吊り部のそれぞれの前記連結手段をズボンの正面部分に連結することによりズボンは使用者の身体に支持されて吊り下げられ得るズボン用サスペンダー。
【請求項１０】
前記折り畳み部の内層は外層より更に下方に延びて露出し，ズボンに対する前記吊り部の連結手段が内層の端部に設けられていることによって特徴づけられる請求項９のズボン用サスペンダー。
【請求項１１】
前記両吊り部は互いに交差状態に形成され，前記折り畳み部の内層が吊り部の交差部位当たりで終端し，吊り部の大部分が外層のみによって形成されて成ることによって特徴づけられる請求項１０のズボン用サスペンダー。
【請求項１２】
前記折り畳み部の内層と外層は前記カラー部沿いに於いてほぼ同一幅を有して成ることによって特徴づけられる請求項９のズボン用サスペンダー。
【発明の詳細な説明】
技術分野
本発明は，衣類の分野に属し，とりわけズボン用サスペンダーに関する。
本発明の背景
典型的なズボン用サスペンダーの構成は，正面側左右対の平らな吊り紐と，同じく背後の１本の平らな吊り紐とを有し，極めて実用的である。背後の吊り紐はその遊端部がズボンのウエストバンドの後方の中央と繋がれ，他方正面側の一対の吊り紐はそれぞれ使用者の左右の肩部越しに湾曲して，各々の遊端部がウエストバンドの正面側左右部と繋がれ，使用者の肩部がサスペンダーの，最終的にはズボンの支持部を提供している。様々な種類の素材および型を用いて，従来のサスペンダーの外観を洗練したものに高めるよう試みられてきた。しかし，基本的な構成は変わらないままであった。
発明の開示
本発明のズボン用サスペンダーは，形状と機能を一体に組み合わせた独特な構造と外観を有する新規なサスペンダーである。このサスペンダーは，左右の吊り部と上方中央のカラー部を含む或る長さの布地から成る。各吊り部の遊端部側には，ズボンのウエストベルトに連結する為の連結手段が設けられている。カラー部は使用者の首周りと合致するように形成されている。サスペンダーは，身に着けているとき，正面ウエストバンドの左右の一方と繋がれ，使用者の首を経由して，正面ウエストバンドの左右の他方側と繋がれる。吊り部は，サスペンダーの長さを調整するための調整手段を備え，また使用者の胸部に対向して平面状に形成されている。カラー部は，使用者の首後部下端のうなじの湾曲に一致するように形成されている。吊り部は，ラペル（飾り下襟），ポケット，ボタンホールを備えるようにして魅力的なものに形成することができる。
本発明の上記した，或いは他の特徴および利点を充分に理解するためには，以下の発明の好ましい実施例の詳細な説明，および添付図面を参照すべきである。
【図面の簡単な説明】
図１は、本発明に従って形成されたズボン用サスペンダーの正面図である。
図２は、図１のサスペンダーの背面図である。
図３は、本発明のサスペンダーの第２実施例の正面図である。
図４は、図３のサスペンダーの背面図である。
図５は、本発明のサスペンダーの第３実施例の正面図である。
図６は、本発明のサスペンダーの第４実施例の正面図である。
発明を実施するための最良の形態
図１と図２を参照して説明すると、本発明に従って構成されるズボン用サスペンダー１０は，１つ又はそれ以上の布地の各部からなる所望長さの柔軟素材によって形成され，上方中央のカラー部１６から二手に分かれる左右の吊り部１２，１４を備える。吊り部１２，１４の遊端部側１８，２０には，ウエストバンドに対する連結手段２２，２４，例えば図示の逆Ｕ字状の留め紐が設けられている。
吊り部１２，１４は，使用者の胸部に対向して平面状に形成されている。カラー部１６は，使用者の首のうなじの湾曲に合致するように形成されている。即ち，カラー部は，首後部の下側に，一般的に言えば標準的なシャツのカラー部が位置するのと同じ部位に，適合する。
吊り部１２，１４およびカラー部１６は，適切に長さ調節されたサスペンダー１０に於ける引張り力の総て及びほとんどが使用者の襟および首の領域に良好に反作用する。従って，サスペンダー１０は，背後の吊り紐を必要とせずに完全にズボンのサポートを供している。又，カラー部１６は，左右の吊り部１２，１４の双方を中継するのに役立ち，然るに吊り部１２，１４が摺り抜けるのを防止している。又，吊り部１２，１４の位置からして，該吊り部に様々なスタイルのラペル（飾り下襟），例えば切り欠きラペルを形成することが可能である。
本発明のとりわけ望ましい実施例には，サスペンダー１０の内縁に沿って内層と外層を形成する折り畳み部３１を設けることができる。カラー部１６沿いでは，内外層３４，３６は，好ましくはほぼ同一幅のもので，二重構成のカラー部１６を形成している。外層３６は，吊り部１２，１４の長手方向の大部分に於いて好ましくは内層３４よりも幅が広く，ラペル２６，２８の形態で構成され得る。図１ー４に示す如く，ラペル２６，２８は，切り欠き下襟を備える紳士服やタキシードに於ける様な一般的なスタイルを模倣することができる。ラペル２６，２８は，好ましくは吊り部の遊端部側近辺から上方に，吊り部１２，１４の全長に亘って延びている。又，ラペルは，好ましくは内層３４と外層３６が重複する処で，内層３４によって部分的に盛り上がっている。このことは，ラペル２６，２８全体が使用者の身体から若干突出している印象を与える。更に，ラペル２６，２８には，ポケット３０の様な他の特徴を備えることができる。
図１に示すように各吊り部の内層３４の布地は，外層３６の下端より更に下に延び，端部１８，２０を形成し，該下端部に連結手段２２，２４が取り付けられている。この様な構成は，見掛け上ラペル２６，２８をサスペンダーから分離，相違せしめる外観特徴を提供する。その外観認識は，吊り部１０の内層の布地と外層の布地が異なる外観つまり地肌の露出面を有する場合，高めることができる。例えば，ラペル２６，２８を形成する外層の布地の外向面を相対的にサテン状の光沢のある外観にし，他方内層３４の布地の外向面つまり吊り部１８，２０の露出面が不光沢の単調な仕上げ面を有するようにしても良い。
図３，４を参照して本発明の第２実施例を説明すると，各吊り部１１２，１１４には，内縁１３２の長手方向中間部辺りから始まる折り畳み部１３１が含まれ，該折り畳み部１３１は内層１３４と外層１３６とから成る。先に説明した第１実施例と同様に外層１３６は，内層１３４より幅広で，吊り部１１２，１１４の全長に亘って延びるラペル１２６，１２８を形成している。しかしながら第１実施例とは対照的に，内層１３４は，吊り部１１２，１１４の遊端部側１１８，１２０で露出していない。従って，連結手段１２２，１２４（ここでは挟み金具として示される）が外層１３６に対して取り付けられている。
図３，４に示すように，両吊り部１１２，１１４は，望むらくはサープリス（前が斜めに交差した衣服）の長襟のように交差させることが出来，これによってより安定的な装着性や異なった外観を提供できる。この様な構成は他の実施例に対しても採用することが出来る。また，ラペル１２６，１２８は他の特徴，例えば図示のボタンホール１３０を設けることが出来る。
図５を参照して第３の実施例を説明すると，吊り部２１２，２１４は，カラー部２１６から二手に別れ，肩掛けの下襟の類の軟質ラペルを備える。サスペンダー２１０は一層の布地から成り，従って吊り部２１２，２１４は直接に連結手段，例えば図示の挟み具と連設されている。或いは，サスペンダー２１０は，内縁に沿った内層と外層からなる折り畳み部（図示せず）を備えることが出来る。又，吊り部２１２，２１４に他の特徴，例えばポケット（図示せず）を設けることが出来る。又，サスペンダー２１０は，サープリスの交差する長襟のようにして身に着けることが出来る。
図６を参照して第４の実施例を説明すると，中央上方のカラー部３１６と，正面側左右の吊り部３１２，３１４と，背後吊り部３６とから構成され，正面側両吊り部３１２，３１４と背後吊り部３６はそれぞれ図示のごとく連結手段３２２，３２４，３８，４０を有する。背後吊り部３６は下方二手に別れ２つの遊端部４２，４４を有し，各遊端部にそれぞれ連結手段３８，４０が設けられている。カラー部３１６は，好ましくは標準的なシャツカラーの形態と外観を呈するように構成されている。また，カラー部３１６は，好ましいことにカラー部が使用者の首の周りを取り囲んで閉鎖するための留め具４６を備えている。正面側左右吊り部３１２，３１４及び背後吊り部３６は標準的なサスペンダーの吊り部の形態及び外観を有するように構成されている。
勿論，上記した本発明の特定の形態は，開示内容の明確な記載から逸脱することなしに変更が成し得るので，代表的なものに過ぎないと理解されるべきである。従って発明の全範囲を判断する際に以下に示す請求項を参照すべきである。
【図１】
0004021492.tif 000002
【図３】
0004021492.tif 000003
【図２】
0004021492.tif 000004
【図４】
0004021492.tif 000005
【図５】
0004021492.tif 000006
【図６】
0004021492.tif 000007